(57)【要約】【課題】第２柱５を連結棒３の存在にかかわらずしっかりと連結することができ、しかも、それをスッキリとした構造で実現することができる梁勝ちの柱梁架構構造を提供する。【解決手段】連結棒３の上端部に、第１柱１と梁２を連結するナット９を螺合させるための雄ネジ部３ａが備えられ、該雄ネジ部３ａは前記ナット９よりも上方に突出し、該突出雄ネジ部３ａを利用して梁２の上面部に第２柱５がほぞパイプ１１とドリフトピン１２などで連結されている。【選択図】      図１
2006233496.tif 000002
【特許請求の範囲】
【請求項１】
第１柱の上端面に梁が載置され、該梁に上下方向に貫通する連結孔が設けられ、該連結孔に通された連結棒で第１柱と梁が連結された梁勝ちの柱梁架構構造において、
前記連結棒の上端部に、第１柱と梁を連結するナットを螺合させるための雄ネジ部が備えられ、該雄ネジ部は前記ナットよりも上方に突出し、該突出雄ネジ部を利用して前記梁の上面部に第２柱が連結されていることを特徴とする梁勝ちの柱梁架構構造。
【発明の詳細な説明】
【技術分野】
【０００１】
本発明は、木造建物などに用いられる梁勝ちの柱梁架構構造に関する。
【背景技術】
【０００２】
図３に示すように、例えば、左右の第１柱１，１の上端面に梁２の端部が載置され、第１柱１，１と梁２が、上下方向に通された連結棒３…で連結された木造の梁勝ち門型架構構造４において、第１柱１の上方に梁２を挟んで第２柱５を立てるような場合、梁２に通されている連結棒３が第２柱５の連結の妨げとなって、第２柱５を連結することができない場合がある。
【発明の開示】
【発明が解決しようとする課題】
【０００３】
本発明は、例えば上記のような場合などにおいて、第２柱を連結棒の存在にかかわらずしっかりと連結することができ、しかも、それをスッキリとした構造で実現することができる梁勝ちの柱梁架構構造を提供することを課題とする。
【課題を解決するための手段】
【０００４】
上記の課題は、第１柱の上端面に梁が載置され、該梁に上下方向に貫通する連結孔が設けられ、該連結孔に通された連結棒で第１柱と梁が連結された梁勝ちの柱梁架構構造において、
前記連結棒の上端部に、第１柱と梁を連結するナットを螺合させるための雄ネジ部が備えられ、該雄ネジ部は前記ナットよりも上方に突出し、該突出雄ネジ部を利用して前記梁の上面部に第２柱が連結されていることを特徴とする梁勝ちの柱梁架構構造によって解決される。
【０００５】
この構造では、第１柱と梁を連結している連結棒の上端突出雄ネジ部を利用して梁の上面部に第２柱を連結するようにしたものであるから、連結棒が第２柱を連結する上での妨げとならず、むしろ連結棒の積極利用によって第２柱を梁上にしっかりと連結することができる。しかも、連結棒を第２柱の連結に併用するようにしているので、それをスッキリとした構造で実現することができる。
【発明の効果】
【０００６】
本発明は、以上のとおりのものであるから、第２柱を連結棒の存在にかかわらずしっかりと連結することができ、しかも、それをスッキリとした構造で実現することができる。
【発明を実施するための最良の形態】
【０００７】
次に、本発明の実施最良形態を図面に基づいて説明する。
【０００８】
図１及び図２に示す本実施形態は、図３に示すように、左右の第１柱１，１の上端面に梁２の端部が載置され、第１柱１，１と梁２が、上下方向に通された連結棒３…で連結された木造の梁勝ち門型架構４において、一方の第１柱１の上方に梁２を挟んで第２柱５を連結する場合のものである。
【０００９】
即ち、門型架構を構成する梁２の端部には、上下方向に貫通する２本の連結孔７，７が設けられ、各連結孔７，７に、柱１に板ナット８などで連結されたＰＣ鋼などからなる連結棒３が通され、各連結棒３の上端部には雄ネジ部３ａが設けられ、該雄ネジ部３ａに対して第１梁２の端部上面側からナット９が螺合され締め付けられて、第１柱１と梁２が連結されている。なお、１０は金属プレートで、両ナット９，９と第１梁２の端部上面との間に介設されている。
【００１０】
そして、梁２において、端部側に位置している連結棒３の上端雄ネジ部３ａはナット９よりも上方に大きく突出しており、該突出雄ネジ部３ａにほぞパイプ１１の下端部が螺合連結されて立てられている。
【００１１】
このほぞパイプ１１は、基端部に、ナット９を収容する下向き開放の膨出部１１ａが備えられると共に、膨出部１１ａに隣接して上部内周部に雌ネジ部１１ｂが備えられ、それよりも上方の周壁部に、ドリフトピン１２…を通す通孔１１ｃ…が備えられており、雌ネジ部１１ｂを連結棒３の突出雄ネジ部３ａに螺合し、ナット９を膨出部１１ａ内に収容し、膨出部１１ａの下端を梁２側である金属プレート１０に当接させた状態で緊結することにより、連結棒３に連結されている。
【００１２】
そして、第２柱５は、その下端面に設けられた孔５ａにほぞパイプ１１が差し込まれ、側方からドリフトピン１２…が打ち込まれることにより、梁２の上面部に連結されて立てられている。
【００１３】
上記の構造では、第１柱１と梁２を連結している一方の連結棒３の上端突出雄ネジ部３ａを利用して梁２の上面部にほぞパイプ１１を連結し、該ほぞパイプ１１に第２柱５の下端部を差し込んでドリフトピン１２…により第２柱５を連結するようにしたものであるから、連結棒３が第２柱５を連結する上での妨げとならず、むしろ連結棒３の積極利用によってほぞパイプ１１ひいては第２柱５を梁２の上にしっかりと連結することができ、しかも、連結棒３を第２柱５の連結に併用するようにしていることで、それをスッキリとした構造で実現することができる。
【００１４】
以上に、本発明の実施形態を示したが、本発明はこれに限られるものではなく、発明思想を逸脱しない範囲で各種の変更が可能である。例えば、上記の実施形態では、第２柱５を梁２に連結するのにほぞパイプ１１を用いた場合を示したが、その他の連結金物が用いられてもよいし、連結棒３の上方突出雄ネジ部３ａを利用してその他の方法で第２柱５を連結するようにしてもよい。
【００１５】
また、上記の実施形態では、梁勝ちの門形架構に適用した場合を示したが、本発明は、柱梁を備える各種架構構造に適用することができるものである。即ち、上記の実施形態では、第１柱の上端部に梁の端部が載置された場合が示されているが、第１柱の上端部に梁の長さ方向中間部を載置して両者を連結棒にて連結した梁勝ちの柱梁架構構造において、第１柱の上方に梁を挟んで第２柱を連結する場合などに適用されてもよい。
【００１６】
更に、上記の実施形態では柱、梁が木からなる木造の架構構造に適用した場合を示したが、本発明は、柱、梁が鋼等の金属材からなる金属架構構造や、柱や梁が金属や木などからなる複合架構構造に用いられてもよい。
【図面の簡単な説明】
【００１７】
【図１】図（イ）及び図（ロ）は、実施形態の柱梁架構構造における第２柱連結部を示す分解斜視図である。
【図２】図（イ−１）はほぞパイプの斜視図、図（イ−２）は同ほぞパイプの縦断面図、図（ロ）は第２柱連結部の断面正面図である。
【図３】門形架構構造を示す全体斜視図である。
【符号の説明】
【００１８】
１…第１柱
２…梁
３…連結棒
３ａ…突出雄ネジ部
５…第２柱
７…連結孔
９…ナット
１１…ほぞパイプ
１２…ドリフトピン
【図１】
2006233496.tif 000003
【図２】
2006233496.tif 000004
【図３】
2006233496.tif 000005